(57)【要約】【課題】食材の種類や重量に合わせて調理する時間、温度などを選択することができる自動調理器を提供する。【解決手段】  表面に食材の種類を選択するボタンが設けられた電子コントロールパネルに接続するコントローラーを具えた本体と、該本体に接続し、食材の重量を測定し、そのデータをコントローラーに送信し、食材の重量と種類から本体の調理モデルを選択するベースとを含んでなる。【選択図】  図１
0003124498.tif 000002
【実用新案登録請求の範囲】
【請求項１】
表面に食材の種類を選択するボタンが設けられた電子コントロールパネルに接続するコントローラーを具えた本体と、
該本体に接続し、食材の重量を測定し、そのデータをコントローラーに送信し、食材の重量と種類から本体の調理モデルを選択するベースとを含んでなることを特徴とする自動調理器。
【請求項２】
前記ベースは、本体の下方に設けられ、コードを介して食材の重量のデータをコントローラーに送信することを特徴とする請求項１に記載する自動調理器。
【請求項３】
前記ベースは、本体に隣接して設けられ、コードを介して食材の重量のデータをコントローラーに送信することを特徴とする請求項１に記載する自動調理器。
【請求項４】
前記コードは、一端にコンセントを設けてなり、本体のコントローラーに形成された接続口に挿入して接続することを特徴とする請求項２及び３に記載する自動調理器。
【請求項５】
前記ベースは、本体に隣接して設けられ、電子コントロールパネルの表面に重量を入力するボタンを設けることを特徴とする請求項１に記載する自動調理器。
【考案の詳細な説明】
【技術分野】
【０００１】
この考案は、自動調理器に関し、特に食材の重量と種類から自動的に調理する時間、温度などを選択して食材を調理することができる自動調理器に関する。
【背景技術】
【０００２】
オーブン、電子レンジ、炊飯器、揚物の調理器などの自動調理器は、食材を内部に入れ、調理時間、温度、調理モデルを設定すると、食材の調理を開始する。しかしながら、従来の自動調理器で設定する調理時間、温度などの調理モデルは、食材に必要な調理モデルではない。また、食材の種類が異なる場合や、重量が異なる場合には、調理に必要な温度、時間、調理モデルが異なるため、正確に制御することができず、好ましい調理効果が得られない。
【考案の開示】
【考案が解決しようとする課題】
【０００３】
この考案は、食材の種類や重量に合わせて調理する時間、温度などを選択することができる自動調理器を提供することを課題とする。
【課題を解決するための手段】
【０００４】
そこで、本発明者は従来の技術に見られる欠点に鑑みて鋭意研究を重ねた結果、表面に食材の種類を選択するボタンが設けられた電子コントロールパネルに接続するコントローラーを具えた本体と、該本体に接続し、食材の重量を測定し、そのデータをコントローラーに送信し、食材の重量と種類から本体の調理モデルを選択するベースとを含んでなる自動調理器によって課題を解決できる点に着眼し、かかる知見に基づいて本発明を完成させた。
【０００５】
以下、この発明について具体的に説明する。
請求項１に記載の自動調理器は、表面に食材の種類を選択するボタンが設けられた電子コントロールパネルに接続するコントローラーを具えた本体と、該本体に接続し、食材の重量を測定し、そのデータをコントローラーに送信し、食材の重量と種類から本体の調理モデルを選択するベースとを含んでなる。
【０００６】
請求項２に記載の自動調理器は、請求項１におけるベースが、本体の下方に設けられ、コードを介して食材の重量のデータをコントローラーに送信する。
【０００７】
請求項３に記載する自動調理器は、請求項１におけるベースが、本体に隣接して設けられ、コードを介して食材の重量のデータをコントローラーに送信する。
【０００８】
請求項４に記載する自動調理器は、請求項２及び３におけるコードが、一端にコンセントを設けてなり、本体のコントローラーに形成された接続口に挿入して接続する。
【０００９】
請求項５に記載する自動調理器は、請求項１におけるベースが、本体に隣接して設けられ、電子コントロールパネルの表面に重量を入力するボタンが設けられる。
【考案の効果】
【００１０】
この考案による自動調理器は、食材の重量と種類に基づいて調理モデルを選択するため、好ましい調理効果を得られるという効果を有する。
【考案を実施するための最良の形態】
【００１１】
この考案は、食材の種類や重量に合わせて調理する時間、温度などを選択することができる自動調理器であって、表面に食材の種類を選択するボタンが設けられた電子コントロールパネルに接続するコントローラーを具えた本体と、該本体に接続し、食材の重量を測定し、そのデータをコントローラーに送信し、食材の重量と種類から本体の調理モデルを選択するベースとを含んでなる。
かかる自動調理器の構造と特徴を詳述するために具体的な実施例を挙げ、図示を参照にして以下に説明する。
【実施例】
【００１２】
図１から４に、この考案の実施例を開示する。図面によれば、この考案の自動調理器は本体１と、ベース２からなる。該本体１はコントローラーが設けられ、該コントローラーは電子コントロールパネル４に接続し、該電子コントロールパネル４は表面に食材の種類を選択するボタン３が設けられる。該ベース２は本体１に接続し、食材の重量を測り、重量のデータをコントローラーへ送信する。該コントローラーは食材の重量及び種類に基づいて本体１の調理モデルを選択する。
【００１３】
実施する場合、食材を本体１の内部に入れると、ベース２が食材の重量を測り、重量のデータが本体１のコントローラーへ送信される。電子コントロールパネル４の表面のボタン３を押して食材の種類を選択すると、食材の種類の情報がコントローラーへ送信される。該コントローラーが食材の重量と種類に基づき調理器（オーブン、電子レンジ、炊飯器、揚物の調理器）の本体１の調理時間、温度などの調理モデルを自動的に選択するため、利用者の需要を満たすような好ましい調理効果が得られる。
【００１４】
該ベース２が食材の重量をコントローラーに送信する方法は多数あり、ベース２を設ける方法も様々に変化させることができる。
【００１５】
図１、２に、この考案の実施例を開示する。該ベース２は、本体１の下方に設けられるとともに、コード８（図示しない）を通して重量のデータをコントローラーに送信する。
【００１６】
図３に、この考案の他の実施例を開示する。該ベース２は、本体１に隣接するように設けられ、コード８を通して食材の重量のデータをコントローラーに送信する。
【００１７】
図１、２に開示する実施例と、図３に開示する他の実施例において、コード８は、一端にコンセント５が設けてなり、該本体１のコントローラーに設けられた接続口６に該コンセント５を挿入して接続する。図１、２の実施例では、食材を直接本体１の内部に入れると、ベース２が総重量と本体１の重量の差から食材の重量を割り出し、コード８を通して食材の重量のデータをコントローラーに送信する。図３の他の実施例では、食材をベース２上に置くと、ベース２が直接食材の重量を測り、その情報をコード８を通してコントローラーへ送信する。該コントローラーは本体１の調理モデルを選択し、本体１の内部に設けられた食材が調理される。
【００１８】
図４に、この考案のその他の実施例を開示する。ベース２は、本体１に隣接するように設けられ、該本体１の電子コントロールパネル４上には重量を入力するボタン７が設けられる。ベース２上に食材を設けると、ベース２が直接食材の重量を測り、重量のデータがコントローラーに送信され、電子コントロールパネル４上のボタン３を押して食材の種類を選択すると、食材の種類のデータがコントローラーに送信されて、コントローラーが本体１の調理モデルを選択する。
【００１９】
この考案の自動調理器は、ベース２が食材の重量のデータをコントローラーへ送信し、電子コントロールパネル４上のボタン３を押して食材の種類を選択すると、コントローラーが食材の種類と重量から本体の調理時間、温度などの調理モデルを自動的に選択するため、需要を満たすように食材を調理することができる。
【００２０】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２１】
【図１】この考案の自動調理器の実施例の使用状態を示した斜視図である。
【図２】この考案の自動調理器の実施例の他の使用状態を示した斜視図である。
【図３】この考案の自動調理器の他の実施例を示した斜視図である。
【図４】この考案の自動調理器のその他の実施例を示した斜視図である。
【図５】この考案の自動調理器のベースを示した説明図である。
【符号の説明】
【００２２】
１          本体
２          ベース
３          ボタン
４          電子コントロールパネル
５          コンセント
６          接続口
７          ボタン
８          コード
【図１】
0003124498.tif 000003
【図２】
0003124498.tif 000004
【図３】
0003124498.tif 000005
【図４】
0003124498.tif 000006
【図５】
0003124498.tif 000007